【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
クライアント装置とネットワークを介して通信可能であり、前記クライアント装置から送信された音声データを、会議参加中の他のクライアント装置に音声および文字として出力させる会議サーバであって、
前記クライアント装置から送信された音声データを受け付ける音声受付手段と、
前記音声受付手段により受け付けた音声データを、前記クライアント装置に対応付けて音声データ記憶手段に登録する音声データ登録手段と、
前記音声データ記憶手段に記憶された前記クライアント装置に対応付けられた音声データを前記会議参加中のクライアント装置に音声として出力させることを許可する権限である音声出力権限を、該音声データの発声状況に基づき、該音声データに対応付けられたクライアント装置に対して付与する音声出力権限付与手段と、
前記クライアント装置に付与された音声出力権限を解除する音声出力終了条件を前記クライアント装置に対応付けて記憶する音声出力終了条件記憶手段と、
前記音声出力終了条件記憶手段に記憶された前記音声出力終了条件に基づき、前記クライアント装置に対して付与された音声出力権限を解除する音声出力権限解除手段と、
前記音声出力権限が付与され、かつ、解除されていない前記クライアント装置の音声データを前記会議参加中のクライアント装置に音声として出力させる音声出力制御手段と、
前記音声データ記憶手段に記憶された前記クライアント装置に対応付けられた音声データを前記会議参加中のクライアント装置に文字として出力させることを許可する権限である文字出力権限を、該音声データの発声状況に基づき、該音声データに対応付けられたクライアント装置に対して付与する文字出力権限付与手段と、
前記クライアント装置に付与された文字出力権限を解除する文字出力終了条件を前記クライアント装置に対応付けて記憶する文字出力終了条件記憶手段と、
前記文字出力終了条件記憶手段に記憶された前記文字出力終了条件に基づき、前記クライアント装置に対して付与された文字出力権限を解除する文字出力権限解除手段と、
前記文字出力権限が付与され、かつ、解除されていない前記クライアント装置の音声データを前記会議参加中のクライアント装置に文字として出力させる文字出力制御手段と、
を有し、
前記音声出力権限付与手段は、更に、前記音声出力権限が他のクライアント装置に付与されていない場合に、前記音声出力権限および前記文字出力権限が付与されていない、または、解除されたクライアント装置に対して、前記音声出力権限を付与し、
前記文字出力権限付与手段は、更に、前記音声出力権限が他のクライアント装置に付与されている場合に、前記音声出力権限および前記文字出力権限が付与されていない、または、解除されたクライアント装置に対して、前記文字出力権限を付与する
ことを特徴とする会議サーバ。
【請求項２】
前記音声出力終了条件は、前記音声データ記憶手段に記憶された前記クライアント装置に対応する音声データの発声がない時間の閾値として設定され、
前記音声出力権限解除手段は、前記音声データ記憶手段に記憶された前記クライアント装置に対応付けられた音声データのうち発声がないまま経過した時間と、前記閾値とを比較した結果により、該クライアント装置に付与された音声出力権限を解除することを特徴とする請求項１に記載の会議サーバ。
【請求項３】
前記文字出力終了条件は、前記音声データ記憶手段に記憶された前記クライアント装置に対応する音声データの発声がない時間の閾値として設定され、
前記文字出力権限解除手段は、前記音声データ記憶手段に記憶された前記クライアント装置に対応付けられた音声データのうち発声がないまま経過した時間と、前記閾値とを比較した結果により、該クライアント装置に付与された文字出力権限を解除することを特徴とする請求項１または請求項２に記載の会議サーバ。
【請求項４】
前記音声出力権限を付与可能な前記クライアント装置の数を記憶する音声出力権限数記憶手段と、
を更に有し、
前記音声出力権限付与手段は、更に、
前記付与可能な前記クライアント装置の数に従って前記クライアント装置に前記音声出力権限を付与することを特徴とする請求項１乃至請求項３のいずれか１項に記載の会議サーバ。
【請求項５】
前記文字出力権限を付与可能な前記クライアント装置の数を記憶する文字出力権限数記憶手段と、
を更に有し、
前記文字出力権限付与手段は、更に、
前記付与可能な前記クライアント装置の数に従って前記クライアント装置に前記文字出力権限を付与することを特徴とする請求項１乃至請求項４のいずれか１項に記載の会議サーバ。
【請求項６】
前記音声出力終了条件は、前記クライアント装置において会議に参加する参加者の発言のうち、発言の終了を意味するキーワードの指定が可能であって、
前記音声出力権限解除手段は、更に、
前記クライアント装置に対応する音声データおける前記音声出力終了条件であるキーワードに基づき、前記クライアント装置に付与された前記音声出力権限を解除することを特徴とする請求項１乃至請求項５のいずれか１項に記載の会議サーバ。
【請求項７】
前記文字出力終了条件は、更に、
前記クライアント装置において会議に参加する参加者の発言のうち、発言の終了を意味するキーワードの指定が可能であって、
前記文字出力権限解除手段は、前記クライアント装置に対応する音声データにおける前記文字出力終了条件であるキーワードに基づき、前記クライアント装置に付与された前記文字出力権限を解除することを特徴とする請求項１乃至請求項６のいずれか１項に記載の会議サーバ。
【請求項８】
前記クライアント装置から送信された画像データを受け付ける画像データ受付手段と、
前記画像データ受付手段により受け付けた画像データを、前記クライアント装置に対応付けて画像データ記憶手段に登録する画像データ登録手段と、
前記画像データ記憶手段に記憶された画像データと、前記文字出力権限が付与されたクライアント装置に対する文字データを該クライアント装置に対する前記画像データと対応付けて表示する文字出力画像データとを、前記会議参加中のクライアント装置に送信する全体画像データに合成する画像合成手段と、
を有することを特徴とする請求項１乃至請求項７のいずれか１項に記載の会議サーバ。
【請求項９】
前記画像合成手段は、前記文字出力権限が付与されたクライアント装置に対する前記画像データを表示しない場合、該クライアント装置に対する前記文字データを文字表示領域である文字発話枠に表示する文字発話枠画像データとして全体画像データに合成することを特徴とする請求項８に記載の会議サーバ。
【請求項１０】
前記クライアント装置に対して、前記文字データを前記文字発話枠に表示させるか否かを発話枠表示フラグの値として記憶する文字表示設定記憶手段と、を有し、
前記画像合成手段は、前記発話枠表示フラグが前記クライアント装置に対して前記文字データを前記文字発話枠に表示すると設定されている場合、前記クライアント装置に対する前記画像データを表示する場合であっても、前記クライアント装置に対する前記文字データを前記文字発話枠に表示する文字発話枠画像データとして全体画像データに合成することを特徴とする請求項９に記載の会議サーバ。
【請求項１１】
前記文字表示設定記憶手段は、更に、前記文字データを前記クライアント装置に対する画像データに対応付けて表示するか否かを参加者発話表示フラグの値として記憶するものであって、
前記画像合成手段は、前記発話枠表示フラグが前記クライアント装置に対して前記文字データを前記文字発話枠に表示すると設定されていない場合であって、前記参加者発話表示フラグが前記クライアント装置に対する画像データに対応付けて表示すると設定されている場合に、前記クライアント装置に対する前記画像データを表示するならば前記文字データを該クライアント装置に対する該画像データと対応付けて表示する文字出力画像データとして、また一方、前記クライアント装置に対する前記画像データを表示しないならば前記文字データを前記文字発話枠に表示する文字発話枠画像データとして、全体画像データに合成することを特徴とする請求項１０に記載の会議サーバ。
【請求項１２】
音声出力部と文字出力部とを有するクライアント装置と、会議サーバとが、ネットワークを介して通信可能な会議システムであって、
前記クライアント装置は、
入力された音声データを前記会議サーバに送信する音声データ送信手段
を有し、
前記会議サーバは、
前記クライアント装置から送信された音声データを受け付ける音声受付手段と、
前記音声受付手段により受け付けた音声データを、前記クライアント装置に対応付けて音声データ記憶手段に登録する音声データ登録手段と、
前記音声データ記憶手段に記憶された前記クライアント装置に対応付けられた音声データを会議参加中のクライアント装置に音声として出力させることを許可する権限である音声出力権限を、該音声データの発声状況に基づき、該音声データに対応付けられたクライアント装置に対して付与する音声出力権限付与手段と、
前記クライアント装置に付与された音声出力権限を解除する音声出力終了条件を前記クライアント装置に対応付けて記憶する音声出力終了条件記憶手段と、
前記音声出力終了条件記憶手段に記憶された前記音声出力終了条件に基づき、前記クライアント装置に対して付与された音声出力権限を解除する音声出力権限解除手段と、
前記音声出力権限が付与され、かつ、解除されていない前記クライアント装置の音声データを前記会議参加中のクライアント装置の音声出力部に音声として出力させる音声出力制御手段と、
前記音声データ記憶手段に記憶された前記クライアント装置に対応付けられた音声データを前記会議参加中のクライアント装置に文字として出力させることを許可する権限である文字出力権限を、該音声データの発声状況に基づき、該音声データに対応付けられたクライアント装置に対して付与する文字出力権限付与手段と、
前記クライアント装置に付与された文字出力権限を解除する文字出力終了条件を前記クライアント装置に対応付けて記憶する文字出力終了条件記憶手段と、
前記文字出力終了条件記憶手段に記憶された前記文字出力終了条件に基づき、前記クライアント装置に対して付与された文字出力権限を解除する文字出力権限解除手段と、
前記文字出力権限が付与され、かつ、解除されていない前記クライアント装置の音声データを前記会議参加中のクライアント装置の文字出力部に文字として出力させる文字出力制御手段と、
を有し、
前記音声出力権限付与手段は、更に、前記音声出力権限が他のクライアント装置に付与されていない場合に、前記音声出力権限および前記文字出力権限が付与されていない、または、解除されたクライアント装置に対して、前記音声出力権限を付与し、
前記文字出力権限付与手段は、更に、前記音声出力権限が他のクライアント装置に付与されている場合に、前記音声出力権限および前記文字出力権限が付与されていない、または、解除されたクライアント装置に対して、前記文字出力権限を付与する
ことを特徴とする会議システム。
【請求項１３】
クライアント装置とネットワークを介して通信可能であり、前記クライアント装置から送信された音声データを、会議参加中の他のクライアント装置に音声および文字として出力させる会議サーバの制御方法であって、
音声受付手段が、前記クライアント装置から送信された音声データを受け付ける音声受付ステップと、
音声データ登録手段が、前記音声受付ステップにより受け付けた音声データを、前記クライアント装置に対応付けて音声データ記憶手段に登録する音声データ登録ステップと、
音声出力権限付与手段が、前記音声データ記憶手段に記憶された前記クライアント装置に対応付けられた音声データを前記会議参加中のクライアント装置に音声として出力させることを許可する権限である音声出力権限を、該音声データの発声状況に基づき、該音声データに対応付けられたクライアント装置に対して付与する音声出力権限付与ステップと、
音声出力条件登録手段が、前記クライアント装置に付与された音声出力権限を解除する音声出力終了条件を前記クライアント装置に対応付けて音声出力終了条件記憶手段に登録する音声出力終了条件登録ステップと、
音声出力権限解除手段が、前記音声出力終了条件記憶手段に記憶された前記音声出力終了条件に基づき、前記クライアント装置に対して付与された音声出力権限を解除する音声出力権限解除ステップと、
音声出力制御手段が、前記音声出力権限が付与され、かつ、解除されていない前記クライアント装置の音声データを前記会議参加中のクライアント装置に音声として出力させる音声出力制御ステップと、
文字出力権限付与手段が、前記音声データ記憶手段に記憶された前記クライアント装置に対応付けられた音声データを前記会議参加中のクライアント装置に文字として出力させることを許可する権限である文字出力権限を、該音声データの発声状況に基づき、該音声データに対応付けられたクライアント装置に対して付与する文字出力権限付与ステップと、
文字出力終了条件登録手段が、前記クライアント装置に付与された文字出力権限を解除する文字出力終了条件を前記クライアント装置に対応付けて文字出力終了条件記憶手段に登録する文字出力終了条件登録ステップと、
文字出力権限解除手段が、前記文字出力終了条件記憶手段に記憶された前記文字出力終了条件に基づき、前記クライアント装置に対して付与された文字出力権限を解除する文字出力権限解除ステップと、
文字出力制御手段が、前記文字出力権限が付与され、かつ、解除されていない前記クライアント装置の音声データを前記会議参加中のクライアント装置に文字として出力させる文字出力制御ステップと、
を有し、
前記音声出力権限付与ステップは、更に、前記音声出力権限が他のクライアント装置に付与されていない場合に、前記音声出力権限および前記文字出力権限が付与されていない、または、解除されたクライアント装置に対して、前記音声出力権限を付与し、
前記文字出力権限付与ステップは、更に、前記音声出力権限が他のクライアント装置に付与されている場合に、前記音声出力権限および前記文字出力権限が付与されていない、または、解除されたクライアント装置に対して、前記文字出力権限を付与する
ことを特徴とする会議サーバの制御方法。
【請求項１４】
音声出力部と文字出力部とを有するクライアント装置と、会議サーバとが、ネットワークを介して通信可能な会議システムの制御方法であって、
前記クライアント装置は、
音声データ送信手段が、入力された音声データを前記会議サーバに送信する音声データ送信ステップ
を有し、
前記会議サーバは、
音声受付手段が、前記クライアント装置から送信された音声データを受け付ける音声受付ステップと、
音声データ登録手段が、前記音声受付ステップにより受け付けた音声データを、前記クライアント装置に対応付けて音声データ記憶手段に登録する音声データ登録ステップと、
音声出力権限付与手段が、前記音声データ記憶手段に記憶された前記クライアント装置に対応付けられた音声データを会議参加中のクライアント装置に音声として出力させることを許可する権限である音声出力権限を、該音声データの発声状況に基づき、該音声データに対応付けられたクライアント装置に対して付与する音声出力権限付与ステップと、
音声出力条件登録手段が、前記クライアント装置に付与された音声出力権限を解除する音声出力終了条件を前記クライアント装置に対応付けて音声出力終了条件記憶手段に登録する音声出力終了条件登録ステップと、
音声出力権限解除手段が、前記音声出力終了条件記憶手段に記憶された前記音声出力終了条件に基づき、前記クライアント装置に対して付与された音声出力権限を解除する音声出力権限解除ステップと、
音声出力制御手段が、前記音声出力権限が付与され、かつ、解除されていない前記クライアント装置の音声データを前記会議参加中のクライアント装置の音声出力部に音声として出力させる音声出力制御ステップと、
文字出力権限付与手段が、前記音声データ記憶手段に記憶された前記クライアント装置に対応付けられた音声データを前記会議参加中のクライアント装置に文字として出力させることを許可する権限である文字出力権限を、該音声データの発声状況に基づき、該音声データに対応付けられたクライアント装置に対して付与する文字出力権限付与ステップと、
文字出力終了条件登録手段が、前記クライアント装置に付与された文字出力権限を解除する文字出力終了条件を前記クライアント装置に対応付けて文字出力終了条件記憶手段に登録する文字出力終了条件登録ステップと、
文字出力権限解除手段が、前記文字出力終了条件記憶手段に記憶された前記文字出力終了条件に基づき、前記クライアント装置に対して付与された文字出力権限を解除する文字出力権限解除ステップと、
文字出力制御手段が、前記文字出力権限が付与され、かつ、解除されていない前記クライアント装置の音声データを前記会議参加中のクライアント装置の文字出力部に文字として出力させる文字出力制御ステップと、
を有し、
前記音声出力権限付与ステップは、更に、前記音声出力権限が他のクライアント装置に付与されていない場合に、前記音声出力権限および前記文字出力権限が付与されていない、または、解除されたクライアント装置に対して、前記音声出力権限を付与し、
前記文字出力権限付与ステップは、更に、前記音声出力権限が他のクライアント装置に付与されている場合に、前記音声出力権限および前記文字出力権限が付与されていない、または、解除されたクライアント装置に対して、前記文字出力権限を付与する
ことを特徴とする会議システムの制御方法。
【請求項１５】
クライアント装置とネットワークを介して通信可能であり、前記クライアント装置から送信された音声データを、会議参加中の他のクライアント装置に音声および文字として出力させる会議サーバにおいて実行可能なプログラムであって、
前記会議サーバを、
前記クライアント装置から送信された音声データを受け付ける音声受付手段と、
前記音声受付手段により受け付けた音声データを、前記クライアント装置に対応付けて音声データ記憶手段に登録する音声データ登録手段と、
前記音声データ記憶手段に記憶された前記クライアント装置に対応付けられた音声データを前記会議参加中のクライアント装置に音声として出力させることを許可する権限である音声出力権限を、該音声データの発声状況に基づき、該音声データに対応付けられたクライアント装置に対して付与する音声出力権限付与手段と、
前記クライアント装置に付与された音声出力権限を解除する音声出力終了条件を前記クライアント装置に対応付けて記憶する音声出力終了条件記憶手段と、
前記音声出力終了条件記憶手段に記憶された前記音声出力終了条件に基づき、前記クライアント装置に対して付与された音声出力権限を解除する音声出力権限解除手段と、
前記音声出力権限が付与され、かつ、解除されていない前記クライアント装置の音声データを前記会議参加中のクライアント装置に音声として出力させる音声出力制御手段と、
前記音声データ記憶手段に記憶された前記クライアント装置に対応付けられた音声データを前記会議参加中のクライアント装置に文字として出力させることを許可する権限である文字出力権限を、該音声データの発声状況に基づき、該音声データに対応付けられたクライアント装置に対して付与する文字出力権限付与手段と、
前記クライアント装置に付与された文字出力権限を解除する文字出力終了条件を前記クライアント装置に対応付けて記憶する文字出力終了条件記憶手段と、
前記文字出力終了条件記憶手段に記憶された前記文字出力終了条件に基づき、前記クライアント装置に対して付与された文字出力権限を解除する文字出力権限解除手段と、
前記文字出力権限が付与され、かつ、解除されていない前記クライアント装置の音声データを前記会議参加中のクライアント装置に文字として出力させる文字出力制御手段
として機能させ、
前記音声出力権限付与手段は、更に、前記音声出力権限が他のクライアント装置に付与されていない場合に、前記音声出力権限および前記文字出力権限が付与されていない、または、解除されたクライアント装置に対して、前記音声出力権限を付与し、
前記文字出力権限付与手段は、更に、前記音声出力権限が他のクライアント装置に付与されている場合に、前記音声出力権限および前記文字出力権限が付与されていない、または、解除されたクライアント装置に対して、前記文字出力権限を付与する
ことを特徴とするプログラム。
【請求項１６】
音声出力部と文字出力部とを有するクライアント装置と、会議サーバとが、ネットワークを介して通信可能な会議システムにおいて実行可能なプログラムであって、
前記クライアント装置を、
入力された音声データを前記会議サーバに送信する音声データ送信手段
として機能させ、
前記会議サーバを、
前記クライアント装置から送信された音声データを受け付ける音声受付手段と、
前記音声受付手段により受け付けた音声データを、前記クライアント装置に対応付けて音声データ記憶手段に登録する音声データ登録手段と、
前記音声データ記憶手段に記憶された前記クライアント装置に対応付けられた音声データを会議参加中のクライアント装置に音声として出力させることを許可する権限である音声出力権限を、該音声データの発声状況に基づき、該音声データに対応付けられたクライアント装置に対して付与する音声出力権限付与手段と、
前記クライアント装置に付与された音声出力権限を解除する音声出力終了条件を前記クライアント装置に対応付けて記憶する音声出力終了条件記憶手段と、
前記音声出力終了条件記憶手段に記憶された前記音声出力終了条件に基づき、前記クライアント装置に対して付与された音声出力権限を解除する音声出力権限解除手段と、
前記音声出力権限が付与され、かつ、解除されていない前記クライアント装置の音声データを前記会議参加中のクライアント装置の音声出力部に音声として出力させる音声出力制御手段と、
前記音声データ記憶手段に記憶された前記クライアント装置に対応付けられた音声データを前記会議参加中のクライアント装置に文字として出力させることを許可する権限である文字出力権限を、該音声データの発声状況に基づき、該音声データに対応付けられたクライアント装置に対して付与する文字出力権限付与手段と、
前記クライアント装置に付与された文字出力権限を解除する文字出力終了条件を前記クライアント装置に対応付けて記憶する文字出力終了条件記憶手段と、
前記文字出力終了条件記憶手段に記憶された前記文字出力終了条件に基づき、前記クライアント装置に対して付与された文字出力権限を解除する文字出力権限解除手段と、
前記文字出力権限が付与され、かつ、解除されていない前記クライアント装置の音声データを前記会議参加中のクライアント装置の文字出力部に文字として出力させる文字出力制御手段
として機能させ、
前記音声出力権限付与手段は、更に、前記音声出力権限が他のクライアント装置に付与されていない場合に、前記音声出力権限および前記文字出力権限が付与されていない、または、解除されたクライアント装置に対して、前記音声出力権限を付与し、
前記文字出力権限付与手段は、更に、前記音声出力権限が他のクライアント装置に付与されている場合に、前記音声出力権限および前記文字出力権限が付与されていない、または、解除されたクライアント装置に対して、前記文字出力権限を付与する
ことを特徴とするプログラム。
【手続補正２】
【補正対象書類名】明細書
【補正対象項目名】０００９
【補正方法】変更
【補正の内容】
【０００９】
本発明は、クライアント装置とネットワークを介して通信可能であり、前記クライアント装置から送信された音声データを、会議参加中の他のクライアント装置に音声および文字として出力させる会議サーバであって、前記クライアント装置から送信された音声データを受け付ける音声受付手段と、前記音声受付手段により受け付けた音声データを、前記クライアント装置に対応付けて音声データ記憶手段に登録する音声データ登録手段と、前記音声データ記憶手段に記憶された前記クライアント装置に対応付けられた音声データを前記会議参加中のクライアント装置に音声として出力させることを許可する権限である音声出力権限を、該音声データの発声状況に基づき、該音声データに対応付けられたクライアント装置に対して付与する音声出力権限付与手段と、前記クライアント装置に付与された音声出力権限を解除する音声出力終了条件を前記クライアント装置に対応付けて記憶する音声出力終了条件記憶手段と、前記音声出力終了条件記憶手段に記憶された前記音声出力終了条件に基づき、前記クライアント装置に対して付与された音声出力権限を解除する音声出力権限解除手段と、前記音声出力権限が付与され、かつ、解除されていない前記クライアント装置の音声データを前記会議参加中のクライアント装置に音声として出力させる音声出力制御手段と、前記音声データ記憶手段に記憶された前記クライアント装置に対応付けられた音声データを前記会議参加中のクライアント装置に文字として出力させることを許可する権限である文字出力権限を、該音声データの発声状況に基づき、該音声データに対応付けられたクライアント装置に対して付与する文字出力権限付与手段と、前記クライアント装置に付与された文字出力権限を解除する文字出力終了条件を前記クライアント装置に対応付けて記憶する文字出力終了条件記憶手段と、前記文字出力終了条件記憶手段に記憶された前記文字出力終了条件に基づき、前記クライアント装置に対して付与された文字出力権限を解除する文字出力権限解除手段と、前記文字出力権限が付与され、かつ、解除されていない前記クライアント装置の音声データを前記会議参加中のクライアント装置に文字として出力させる文字出力制御手段と、を有し、前記音声出力権限付与手段は、更に、前記音声出力権限が他のクライアント装置に付与されていない場合に、前記音声出力権限および前記文字出力権限が付与されていない、または、解除されたクライアント装置に対して、前記音声出力権限を付与し、前記文字出力権限付与手段は、更に、前記音声出力権限が他のクライアント装置に付与されている場合に、前記音声出力権限および前記文字出力権限が付与されていない、または、解除されたクライアント装置に対して、前記文字出力権限を付与することを特徴とする。